(57)【特許請求の範囲】
【請求項１】
弾性材料で製造されており、頭をリラックスさせることが可能な枕であって、
支持本体、二つの接触部、および、当接部を備え、
前記支持本体は、頂部が仰向けに横たわった利用者の頸部を支えるのに用いられ、底部に凹溝が凹設されており、両端に前記利用者の頭部の側頭骨に対応する位置に二つの凹陥部が互いに連通するよう形成されており、
二つの前記接触部は、それぞれの一端が前記凹陥部に隣接する前記支持本体の対応する端に接続されており互いに第１所定間隔離れており、他端が前記支持本体から離間する方向に向かって延伸し互いに第２所定間隔離れており、前記第２所定間隔が前記第１所定間隔より小さくなるようかつ前記利用者の頭部の２つの頭頂骨に対応可能に形成されており、
前記当接部は、前記支持本体の片側から延出されており、前記凹陥部の間に位置し、自由端を有し、前記利用者の頸部及び頭部が前記支持本体及び前記接触部のそれぞれに支持された状態において、前記利用者の頭部の側頭骨を前記凹陥部に対応する位置に保持させるだけでなく、前記凹溝に対応する前記支持本体を前記利用者の頸部の重さにより、下方へ湾曲変形させることが可能であり、前記支持本体の両端が上方に向かって湾曲変形し、前記接触部の他端が変形し、前記利用者の頭部の頭頂骨方向に向かって反り返り頭頂骨を支持し、その結果、前記自由端が変形し、前記利用者の頭部の後頭骨に向かって上方に反り返ることで前記後頭骨を押圧することを特徴とするリラックス枕。
【請求項２】
前記支持本体は、前記底部の前記利用者の体に近接する位置に第１傾斜面が形成されており、
前記第１傾斜面は、前記凹溝に近接しており、前記利用者の頸部が前記支持本体に当てた時、前記支持本体が前記第１傾斜面により下方の平面に平らに当接していることを特徴とする請求項１に記載のリラックス枕。
【請求項３】
前記当接部は、頂部に第２傾斜面が形成されており、
前記当接部が前記支持本体の反り変形と伴って前記利用者の前記後頭骨に当てた状態において、前記当接部が、前記第２傾斜面より前記利用者の頭部の外後頭隆起及び外後頭稜に近接する位置に平らにフィットし、且つ、当接可能であることを特徴とする請求項２に記載のリラックス枕。
【請求項４】
前記支持本体は、頂部に凹溝が形成されており、
前記支持本体の頂部の前記凹溝は、深さが前記支持本体の底部の前記凹溝の深さより小さくなるよう形成されていることを特徴とする請求項１〜３のいずれか一項に記載のリラックス枕。
【請求項５】
面ファスナーストラップをさらに備え、
前記面ファスナーストラップは、両端が二つの前記接触部の他端に可動的に接続されていることを特徴とする請求項４に記載のリラックス枕。
【請求項６】
前記当接部は、前記支持本体から延出する長さが１〜４ｃｍであることを特徴とする請求項５に記載のリラックス枕。
【請求項７】
前記凹陥部は、間隔が１４〜２０ｃｍであることを特徴とする請求項６に記載のリラックス枕。
【請求項８】
前記支持本体の底部の前記凹溝は深さが１〜５ｃｍであることを特徴とする請求項７に記載のリラックス枕。
【発明の詳細な説明】
【技術分野】
【０００１】
本発明は、リラックス枕に関し、特に枕の上に当接部を凸設して、利用者の頭頸が枕の上に当接した時、当接部が利用者の後頭骨に当たることで、脳脊髄液の循環を促進させることができる新しい構造を有するに枕関する。
【背景技術】
【０００２】
近年、情報伝達の発達及び社会の急速な変動に伴い、近代人の生活リズムは益々速くなり、それに対応して仕事のストレスも益々大きくなる。適切に体や気持ちをリラックスさせることができなくとなると、生理的あるいは心理的な病気を引き起こしやすくなるため、多くの人々も按摩或いはマッサージを通じて、心身をリラックスさせる効果を得ている。按摩やマッサージは人体のツボと関節に関わるため、経験豊富な専門家のみが施術を行うことができる。また近年市場でも各種健康機器（例えばマッサージチェア）が売り出され、一般消費者が家庭で、気軽にマッサージを通してリラックスさせることができるが、このような健康機器の販売価格の大半が高価で、現時点では、全ての一般大衆まで普及していない。
【０００３】
全ての按摩やマッサージ技術が、豊富な医学知識の必要があることとは限らず、現在の学界の長年にわたる研究と臨床試験により、頭蓋仙骨療法（Ｃｒａｎｉｏｓａｃｒａｌ  Ｔｈｅｒａｐｙ、ＣＳＴ）が開発されている。その特徴は施術者が約５ｇの力で患者の頭部に軽く触れることで、全身のバランスを整えると共に体液の流れを増大させることができることである。頭蓋仙骨療法の運用は、高度な医学知識の必要がないため、学習ハードルが低く、一般的な人々の学習や運用に適し、且つ頭蓋仙骨療法の施術の力は硬貨１枚分の重さ（５ｇ）のみであるため、圧迫位置が少しずれても、いかなる後遺症も生じない。
【０００４】
頭蓋仙骨療法は２０世紀初頭までさかのぼる。アメリカのオステオパシー医であるＤｒ．Ｗｉｌｌｉａｍ  Ｓｕｔｈｅｒｌａｎｄが人体の骨格の研究の際に、頭蓋骨を構成する各骨の間に少し可動性があり、当時の医学で認知されていた「完全に動かない」状態ではないことを発見し、２０年の時間を費やして研究を行い、異なった力を頭蓋骨上の異なる部位にかけた反応を記録し、頭蓋骨に関する検査と治療システムを開発した。その後、１９７０年代時に脳神経外科医であるジョン・Ｅ・アプレジャー（Ｊｏｈｎ  Ｅ．Ｕｐｌｅｄｇｅｒ）博士が長年にわたる脳手術経験において、興味深い現象である「頭部と硬膜が“脳脊髄液”の脈動に伴って起伏すること」を発見し、更に「人体のある部位を触診すると、この種の微かな脈動を感じることができるだけではなく、触診の手で極めて軽く力（約５ｇ）を加えると、脳脊髄液圧が調整され、健康促進の目的を達成できる」ことを発見した。
【０００５】
ジョン・Ｅ・アプレジャー博士は、数十年の研究を経て、先に述べた頭蓋仙骨療法を開発した。以下に、その原理を簡単に説明する。人々によく知られる人体リズムシステムは心拍及び呼吸のリズムで、クレニオセイクラルシステム（Ｃｒａｎｉｏｓａｃｒａｌ  ｓｙｓｔｅｍ）は新たに発見されたリズムシステムである。クレニオセイクラルシステムは、脳膜組織とその中を満たしている脳及び脊髄を保護する脳脊髄液とを含む。その範囲は上方が頭蓋骨、顔及び口から頭蓋全体を構成し、下方へ仙骨或いは尾骨部位まで延伸する。クレニオセイクラルシステム自体は大脳及び脊髄の発展及び働きに影響を与えるため、このシステムのバランスが崩れる、又は妨害を受けると、感覚障害、運動障害或いは神経系障害を起こしてしまう。頭蓋仙骨療法は、体の自然治癒力を高める治療方法で、通常患者はベッドに横たわる又は座り、施術者が患者の体に手を当て、手で体内のリズムを「感じ」、優しく素手による全身検査と治療方法を施すことで、体の多くのシステムを改善し、単独使用あるいはその他の療法との並行治療に関わらず、体の機能促進においていずれも良好な効果がある。
【０００６】
図１及び図２の通り、人体の頭蓋骨は、前頭骨ＦＢ（Ｆｒｏｎｔａｌ  ｂｏｎｅ）、蝶形骨ＳＢ（Ｓｐｈｅｎｏｉｄ  ｂｏｎｅ）、頭頂骨ＰＢ（Ｐａｒｉｅｔａｌ  ｂｏｎｅ）、後頭骨ＯＢ（Ｏｃｃｉｐｉｔａｌ  ｂｏｎｅ）及び側頭骨ＴＢ（Ｔｅｍｐｏｒａｌ  ｂｏｎｅ）等を含む複数の骨が複雑に組み合わされたものである（ここでは頭蓋仙骨療法と最も直接関係する重要な部位のみを説明する）。頭蓋仙骨療法を行う時、施術者は、手で患者の２つの頭頂骨ＰＢを支え、且つこの時側頭骨ＴＢ上の乳様突起ＴＢ１がリラックスを保ち、患者の後頭骨ＯＢ上の外後頭隆起（ｅｘｔｅｒｎａｌ  ｏｃｃｉｐｉｔａｌ  ｐｒｏｔｕｂｅｒａｎｃｅ、ＥＯＰ）と外後頭稜（Ｅｘｉｔ  Ｏｃｃｉｐiｔａｌ  Ｃｒｅｓｔ、ＥＯＣ）に近接する位置（圧迫部位は後頭骨ＯＢの茎状突起ＯＢ１を跨いではならず、つまり後頭乳突縫合ＯＳ（Ｏｃｃｉｐｉｔｏｍａｓｔｏｉｄ  Ｓｕｔｕｒｅ）の部位である）を圧迫し、この時、頭頂骨ＰＢ間の縫合は外方へやや拡張して頭蓋骨内の脳脊髄液圧を下げると共に脳脊髄液の循環を促進する。頭蓋仙骨療法は、人々の体内環境を改善して中枢神経系の正常な動きを回復させることで、個人の精神的な安定を高め、且つ情緒障害、自律神経失調、全身筋肉痛、手術後のリハビリ等にも有益である。
【０００７】
しかしながら、現在頭蓋仙骨療法の大半は、専門家（医師、理学療法士、作業療法士、整体師など）が行うため、一般の人々にはあまり知られておらず、且つ普及していない状況では、1回当たりの治療費が高い。このため、発明者は頭蓋仙骨療法の原理を運用して枕を設計し、一般の人々にも頭蓋仙骨療法の効果を自ら実感してもらうことで、頭蓋仙骨療法に対する認識度を高め、受けいれてもらい、ジョン・Ｅ・アプレジャー博士の長年に渡る研究の成果を広めることができると考えた。よって、如何にして利用者が気軽に頭部のリラックス効果を実感することができる構造を有する枕を設計するかが、本発明における重要な課題である。
【先行技術文献】
【特許文献】
【０００８】
【特許文献１】特開２００３−１４４２６６号公報
【発明の概要】
【発明が解決しようとする課題】
【０００９】
本発明は、上述の問題に鑑みてなされたものであり、その目的は、利用者の頭蓋骨縫合を外方に向かってやや緩ませることで、頭蓋骨内の脳脊髄液圧を下げると共に脳脊髄液の循環を促進可能なリラックス枕を提供することにある。
【課題を解決するための手段】
【００１０】
上記目的を達成するために、本発明によるリラックス枕は、弾性材料で製造されており、頭をリラックスさせることが可能な枕であって、支持本体、２つの接触部、および、当接部を備える。支持本体は、頂部が仰向けに横たわった利用者の頸部を支えるのに用いられ、底部に凹溝が凹設されており、両端に利用者の頭部の側頭骨に対応する位置に二つの凹陥部が互いに連通するよう形成されている。二つの接触部は、それぞれの一端が凹陥部に隣接する支持本体の対応する端に接続されており互いに第１所定間隔離れており、他端が支持本体から離間する方向に向かって延伸し互いに第２所定間隔離れており、第２所定間隔が第１所定間隔より小さくなるようかつ利用者の頭部の２つの頭頂骨に対応可能に形成されている。当接部は、支持本体の片側から延出されており、凹陥部の間に位置し、自由端を有し、利用者の頸部及び頭部が支持本体及び接触部のそれぞれに支持された状態において、利用者頭部の側頭骨を凹陥部に対応する位置に保持させるだけでなく、凹溝に対応する支持本体を利用者の頸部の重さにより、下方へ湾曲変形させることが可能であり、支持本体の両端が上方に向かって湾曲変形し、接触部の他端が変形し、利用者の頭部の頭頂骨方向に向かって反り返り頭頂骨を支持し、その結果、自由端が変形し、利用者の頭部の後頭骨に向かって上方に反り返ることで後頭骨を押圧する。これにより、利用者の頭蓋骨縫合を外方へ向かってやや緩ませることで、頭蓋骨内の脳脊髄液圧を下げると共に脳脊髄液の循環を促進することができる。
【００１１】
また、支持本体は、底部の利用者の体に近接する位置に第１傾斜面が形成されている。第１傾斜面は、凹溝に近接しており、利用者の頸部が支持本体に当てた時、支持本体が第１傾斜面により下方の平面に平らに当接している。よって、生じるモーメントが更に正確に利用者の頭頂骨及び後頭骨に向かい、且つ頭頂骨及び後頭骨に十分な支持力を加えることができる。
【００１２】
また、当接部は、頂部に第２傾斜面が形成されている。当接部が支持本体の反り変形と伴って利用者の後頭骨に当てた状態において、当接部が、第２傾斜面より利用者の頭部の外後頭隆起及び外後頭稜に近接する位置に平らにフィットし、且つ、当接可能である。
【００１３】
以下、本発明の技術手段、構造の特徴及びその目的を理解してもらうため、実施形態  を添付図面に基づいて詳細に説明する。
【図面の簡単な説明】
【００１４】
【図１】人体の頭蓋骨を示す模式図である。
【図２】人体の頭蓋骨を示す模式図である。
【図３】本発明の第１実施形態によるリラックス枕を示す模式図である。
【図４】本発明の第１実施形態によるリラックス枕を示す平面図である。
【図５】本発明の第１実施形態によるリラックス枕を示す平面図である。
【図６】本発明の第１実施形態によるリラックス枕の使用状態を示す模式図である。
【図７Ａ】本発明の第１実施形態によるリラックス枕を示す断面図である。
【図７Ｂ】本発明の第１実施形態によるリラックス枕の使用状態を示す模式図である。
【図８】本発明の第１実施形態によるリラックス枕を示す平面図である。
【図９】本発明の第２実施形態によるリラックス枕を示す模式図である。
【発明を実施するための形態】
【００１５】
（第１実施形態）
本発明は、リラックス枕である。図３を参照すると、本発明の第１実施形態では、枕３の構造が大まかにＵ字形を呈し、その内部は弾性材料からなり、且つ主に支持本体３１、２つの接触部３２及び当接部３３等の４個の部位に分かれる。本発明の原理は、頭蓋仙骨療法からのもので、頭部圧力をリラックスさせ、脳脊髄液の循環促進効果を奏し、従来の利用者がリハビリテーション専門員の素手による圧迫によって頭蓋仙骨療法の効果を実感していた問題を解決した。
【００１６】
図３から図６の通り、支持本体３１の頂部は仰向けに横たわった利用者の頸部を支えるために用いられ、その底部の中央部に凹溝３１０（本実施形態において、凹溝３１０は支持本体３１の中央位置の底部を貫通し且つ略方形を呈するが、凹溝３１０の構造は図４に限らない）が凹設され、支持本体３１の両対応側に近接する位置に凹陥部３１１が各々設けられ、凹陥部３１１の位置は利用者頭部の側頭骨（凹陥部間の幅Ｗは約１４〜２０ｃｍで、利用者に応じて調整可能）に対応することで、利用者が頭部を枕３の上に乗せた時、利用者の側頭骨（つまり、両耳に対応する位置）が凹陥部３１１内に格納できる。
【００１７】
接触部３２の一端は、支持本体３１の両対応側と繋がり、且つ互いに第１所定間隔Ｄ１を保ち、接触部３２の他端が支持本体３１から離れた方向に向かって延伸し、且つ互いに第２所定間隔Ｄ２を保つ。第２所定間隔Ｄ２は、第１所定間隔Ｄ１より小さく、接触部３２の配置は利用者頭部の２つの頭頂骨に各々対応し、並びに利用者の頭部を支えることができる。
【００１８】
図３及び図６の通り、当接部３３は、支持本体３１の一側から延出し、且つその位置が接触部３２の間に介在し、利用者が頭部を枕３の上に載せた状態において、利用者Ｕの頸部及び頭部は支持本体３１及び接触部３２上に各々当たる。この時、利用者Ｕの側頭骨は凹陥部３１１に対応する位置に保持し、側頭骨が支持本体３１からの圧迫を受けない。図３、図４、図６及び図７Ａの通り、支持本体３１は、利用者Ｕの頸部の重さにより凹溝３１０の方向に向かって下方へ湾曲変形することで、支持本体３１の両対応側が上方に向かって湾曲変形させ、接触部３２の他端も一緒に利用者Ｕ頭部の頭頂骨方向に向かって反り返り、利用者Ｕ頭部の２つ頭頂骨を支えることで、図７Ｂに示す状態が形成される。
【００１９】
支持本体３１上の凹溝３１０に対応する部位は、枕３下の平面（例えばベッド）に当接すると共に支点が形成されるため、この時、当接部３３の支持本体３１から離れた自由端が利用者Ｕ頭部の後頭骨方向に向かって反り返ることで、後頭骨上の外後頭隆起に近接する部位に当接できる。図３及び図７Ｂを参照すると、利用者Ｕが仰向けに横たわり且つその頸部及び頭部を枕３上に当てた時、その側頭骨ＴＢがリラックスして凹陥部３１１上に位置し、その頭頂骨ＰＢが接触部３２上に当たるため、当接部３３は枕３の反り変形に伴って、後頭骨ＯＢ上の外後頭隆起と外後頭稜に近接する位置に当接及び支えることができる状態において、当接部３３の支持力が利用者Ｕの頭頂骨ＰＢに対応して外向き（つまり、図７Ｂ内の左上方向）モーメントを生じることができ、同時に接触部３２上の利用者の頭頂骨ＰＢを支える部位も一緒に外向きの分力モーメントを生じ、利用者Ｕの頭蓋骨縫合（つまり、頭頂骨と頭頂骨の間、頭頂骨と後頭骨の間）が外方に向かって緩むことをサポートし、利用者Ｕ頭部の内応力（つまり、頭蓋骨内の脳脊髄液圧）を軽減すると共に調整することで、脳脊髄液の循環が促進される。
【００２０】
このほかに、本実施形態において、当接部３３は後頭骨ＯＢに当接した状態の下、当接部３３の当接力が後頭骨ＯＢと利用者Ｕの環椎（ａｔｌａｓ、即ち第一頸椎）を微調整することで、後頭骨ＯＢの下部の皮下組織（ｄｅｃｏｍｐｒｅｓｓｅｓ  ｔｈｅ  ｏｃｃｉｐｉｔａｌ  ｃｏｎｄｙｌａｒ  ｒｅｇｉｏｎ）に弛緩が生じると共に頭蓋底構造（ｃｒａｎｉａｌ  ｂａｓｅ）及び頸静脈孔の周囲組織（ｔｉｓｓｕｅｓ  ａｒｏｕｎｄ  ｔｈｅ  ｊｕｇｕｌａｒ  ｆｏｒａｍｅｎａ）をリラックスさせる。人体上の舌咽神経（ｇｌｏｓｓｏｐｈａｒｙｎｇｅａｌ  ｎｅｒｖｅｓ）、迷走神経（ｖａｇｕｓ  ｎｅｒｖｅｓ）及び副神経（ａｃｃｅｓｓｏｒｙ  ｃｒａｎｉａｌ  ｎｅｒｖｅｓ）（即ち、第９、１０、１１脳神経）は、頸静脈孔（ｊｕｇｕｌａｒ  ｆｏｒａｍｅｎａ）を通過するため、神経は頸静脈孔の周囲組織（ｔｉｓｓｕｅｓ  ａｒｏｕｎｄ  ｔｈｅ  ｊｕｇｕｌａｒ  ｆｏｒａｍｅｎａ）の弛緩に伴ってプラスの影響を生じることができる。
【００２１】
また、図１、図３乃至図７Ｂの通り、本実施形態において、凹溝３１０の深さＤ３は約１〜５ｃｍで、且つ支持本体３１の底部が該利用者Ｕの体に隣接し、また凹溝３１０に対応する部位に第１傾斜面３１２を形成することで、利用者Ｕの頸部を該支持本体３１上に当てた時、支持本体３１は第１傾斜面３１２を通じて、より一層安定して平面上に当接（凹溝３１０も支持本体３１上の利用者に隣接する他側に開設することで、傾斜変形の程度をアップできる）できることで、接触部３２及び当接部３３の反り変形後で生じるモーメントが更に正確に利用者Ｕの頭頂骨ＰＢ及び外後頭隆起に各々向かわせ、且つ頭頂骨ＰＢ及び後頭骨ＯＢに十分な支持力を加えることができる。このほかに、当接部３３の頂部に第２傾斜面３３１を設け、且つ当接部３３の支持本体３１の一側から延出する長さＬは、１〜４ｃｍで、当接部３３が支持本体３１の反り変形に伴って利用者の後頭骨ＯＢに当接する状態において、当接部３３が第２傾斜面３３１を通じて、施術者の指のように平らにフィットし、また利用者頭部上の外後頭隆起ＥＯＰ及び外後頭稜ＥＯＣに近接する部位に当接できる（当接位置は、後頭骨ＯＢの茎状突起ＯＢ１を跨いではならず、つまり後頭乳突縫合ＯＳ）。
【００２２】
本発明に係る枕は、利用者の体型（例：身長、頭型、体）によってカスタマイズ調整できる。これには接触部３２の他端間の第２所定間隔Ｄ２、当接部３３の延伸長さＬ及び凹溝の深さＤ３を含む。本実施形態において、枕３は面ファスナーストラップ３４を更に含み、面ファスナーストラップ３４の両端が各接触部３２の他端（例：マジックテープ（登録商標）或いは接触部３２上の止めリング内に貫設）に各々可動的に接続し、利用者が面ファスナーストラップ３４を通じて、接触部３２上の第２所定間隔Ｄ２の長さを調整できる。例えば長頭患者の場合、第２所定間隔Ｄ２が小さく、接触部３２が利用者の頭頂骨ＰＢを支えることができる。逆に、短頭患者の場合、第２所定間隔Ｄ２が大きくなり、頭頂骨ＰＢを支えることができて圧迫しすぎることはない。
【００２３】
図８を参照すると、本発明その他の実施形態において、面ファスナーストラップ３４の両端も接触部３２の他端の端縁部に設けることができる。こうすることで、利用者の頭頸を枕３上に当てた時、面ファスナーストラップ３４が利用者頭部の上方に丁度位置し、押されないため、利用者は簡単に面ファスナーストラップ３４を自ら操作して接触部３２間の第２所定間隔Ｄ２の長さを調整することで、確実に枕３の機能を発揮させることができる。
【００２４】
上記実施形態において、凹陥部３１１は円孔状の凹孔であるため、利用者が枕３を使用する時、利用者の側頭骨ＴＢが凹陥部３１１の上に保持し、支持本体３１の表面に接触することはない。ただし、凹陥部３１１の構造は、これに限るものではなく、且つ実際の実施において、枕３の外形の美観を保持するため、業者の大半は枕３の外に布層で覆い、つまり利用者の側頭骨ＴＢは枕３上の最外側布層に接触する可能性があるが、側頭骨ＴＢに対応する位置に凹陥部３１１を有するため、利用者の側頭骨ＴＢはやはりリラックス状態を保持し、枕３の使用に影響を及ぼさない。
【００２５】
（第２実施形態）
図９を参照すると、本発明の第２実施形態である。前記支持本体３１の頂部に第１の凹溝３１０ａを設け、その底部に第２の凹溝３１０ｂを設け、且つ当接部３３の中心位置は第２の凹溝３１０ｂに近接する。第１の凹溝３１０ａの深さは、第２の凹溝３１０ｂの深さより小さい。これをもって枕３の両面が異なる特性を持たせ、つまり利用者が支持本体３１上の第１の凹溝３１０ａに対応する位置（つまり、支持本体３１の頂部）に当てた状態において、支持本体３１の底部は第２の凹溝３１０ｂの方向に向かって湾曲し、第２の凹溝３１０ｂの深さが比較的大きいため、支持本体３１が大幅な湾曲変形を生じることで、柔らかい触感を提供し、且つ当接部３３は利用者の後頭骨上に穏やかに当接できる。
【００２６】
逆に、利用者が支持本体３１を裏返しすると、支持本体３１上の第２の凹溝３１０ｂに対応する位置（つまり、図８に示す支持本体３１の底部）に当てた状態において、支持本体３１は第１の凹溝３１０ａの方向に向かって湾曲する。この時、第１の凹溝３１０ａの深さが比較的浅く、且つ第１の凹溝３１０ａに比べて、当接部３３の位置が第２の凹溝３１０ｂに隣接するため、支持本体３１の湾曲変形が比較的小さく、利用者の後頭骨上に直接当接できることで、ハードな触感が生じる。
以上に述べたものは、本発明の実施形態であって、本発明の技術的特徴はこのような実施形態のみに限定されるべきものではなく、当業者が本発明の技術内容を参酌した後、容易に想到できる種々の修正及び変更は、均しく本発明の請求の範囲に属する。
【符号の説明】
【００２７】
３  枕、
３１  支持本体、
３１０  凹溝、
３１１  凹陥部、
３１２  第１傾斜面、
３２  接触部、
３３  当接部、
３３１  第２傾斜面、
３４  面ファスナーストラップ、
Ｄ１  第１所定間隔、
Ｄ２  第２所定間隔、
Ｄ３  深さ、
Ｌ  長さ、
Ｗ  幅、
Ｕ  利用者、
ＯＢ  後頭骨、
ＯＢ１  茎状突起、
ＦＢ  前頭骨、
ＳＢ  蝶形骨、
ＰＢ  頭頂骨、
ＴＢ  側頭骨、
ＴＢ１  乳様突起、
ＥＯＰ  外後頭隆起、
ＥＯＣ  外後頭稜、
ＯＳ  後頭乳突縫合。
【図１】
0005997228.tif 000002
【図２】
0005997228.tif 000003
【図３】
0005997228.tif 000004
【図４】
0005997228.tif 000005
【図５】
0005997228.tif 000006
【図６】
0005997228.tif 000007
【図７Ａ】
0005997228.tif 000008
【図７Ｂ】
0005997228.tif 000009
【図８】
0005997228.tif 000010
【図９】
0005997228.tif 000011